(57)【要約】      （修正有）【課題】ロック強度に優れ安全性が向上し、ワンタッチで操作でき、操作性に優れた折畳み式テーブルを提供する。【解決手段】天板と、天板に回動可能に設けられた脚と、天板の裏面に設けられ脚の移動を規制するロック部材とからなる。ロック部材は、水平長穴と水平長穴に連通した天板側に屈曲した係合穴とからなるガイド溝を形成したスライド受部と、連結部材と、前方が天板方向へ常時付勢される操作レバーとからなる。操作レバーには、前方からスライド軸が摺動するガイド斜面とスライド軸が嵌合する係合凹部と脚の起立状態時に、操作レバーの回動によって係合穴に嵌合したスライド軸を係合穴から脱出させる起動爪と、解除操作を行なう操作片を設けた。【選択図】図５
0003155260.tif 000002
【実用新案登録請求の範囲】
【請求項１】
天板と前記天板の裏面に設けられ上部を回動中心として回動可能に設けられた脚と、前記天板の裏面に設けられ脚の移動を規制するロック部材とからなる折畳み式のテーブルにおいて、ロック部材は天板と略平行に設けられた水平長穴と水平長穴に連通した天板側に屈曲した係合穴とからなるガイド溝を形成したスライド受部と、一方で前記脚を軸支する回転軸と他方で前記ガイド溝内をスライドするスライド軸とを有する連結部材と、前記天板の裏面に設けられた水平軸に軸支され、前方が天板方向へ常時付勢される操作レバーとからなり、操作レバーには前方からスライド軸が摺動するガイド斜面とスライド軸が嵌合する係合凹部と脚の起立状態時に操作レバーの回動によって係合穴に嵌合したスライド軸を係合穴から脱出させる起動爪と解除操作を行なう操作片とを備えることを特徴とする折畳み式テーブル。
【請求項２】
前記起動爪は前記ガイド斜面の仮想延長線よりも天板側に突出してなることを特徴とする請求項1に記載の折畳み式テーブル。
【考案の詳細な説明】
【技術分野】
【０００１】
本考案は、折畳み式テーブルに関し、特に折畳み式テーブルの脚のロック構造に関する。
【背景技術】
【０００２】
従来から天板裏面に対して回動可能な脚を設け、使用時には天板裏面から脚を回動して起立させ、不使用時には脚を回動して天板裏面に密着した状態で脚を収容する折畳式テーブルが用いられている。
【０００３】
従来の折畳み式テーブルは、使用時や不使用時に脚が不用意に閉鎖したり、展開したりしないようにロック機構が設けてある。
【０００４】
ロック機構の一例として細長板の両端を折り曲げて前方の受部、後方の受部および通過路を形成し、薄板製の係止板を凸弧状の排除斜縁およびこれに連なる凸弧状の係止急斜縁とを有する形に形成し、この係止板の下方かつ後方へハンドルレバーを一体的に形成し、通過路外に取付けた回動軸へ係止板の前方を回動自在に設けている。
さらに、コイルバネにより係止板を常時は通過路の上方まで突出させ、コイルバネにより脚の起立時には係止急斜縁を介して支杆頂部を後方の受部側へ押付けるとともにハンドルレバーの膨出した端部を天板側へ押圧し、ハンドルレバーの引下げ時には係止板全体を通過路内より没するようにした家具用折りたたみ脚のロック装置が特許文献1に記載されている。
【特許文献１】実公昭61−32507
【考案の開示】
【考案が解決しようとする課題】
【０００５】
しかしながら、従来のロック装置は通過路が平坦で、コイルバネで押付けた係止板だけでロックされている構造であった。そのため係止板に外力が加わってしまった場合、ロックが外れて机が傾いてしまう可能性がある。
【０００６】
バネの強さを大きくすれば、ロックの強度も保たれるが、バネの強さを大きくし過ぎると操作性が悪くなり取扱い難くなってしまう可能性がある。
【０００７】
本考案は、上記の事情に鑑みてなされたもので、ロック強度に優れ安全性が向上し、ワンタッチで操作でき、操作性に優れた折畳み式テーブルを提供することを目的とする。
【課題を解決するための手段】
【０００８】
前記課題を解決するため請求項1記載の考案にあっては、天板と前記天板の裏面に設けられ上部を回動中心として回動可能に設けられた脚と、前記天板の裏面に設けられ脚の移動を規制するロック部材とからなる折畳み式のテーブルにおいて、ロック部材は天板と略平行に設けられた水平長穴と水平長穴に連通した天板側に屈曲した係合穴とからなるガイド溝を形成したスライド受部と、一方で前記脚を軸支する回転軸と他方で前記ガイド溝内をスライドするスライド軸とを有する連結部材と、前記天板の裏面に設けられた水平軸に軸支され、前方が天板方向へ常時付勢される操作レバーとからなり、操作レバーには前方からスライド軸が摺動するガイド斜面とスライド軸が嵌合する係合凹部と脚の起立状態時に操作レバーの回動によって係合穴に嵌合したスライド軸を係合穴から脱出させる起動爪と解除操作を行なう操作片とを設けたことを特徴とする。
【０００９】
請求項2記載の考案にあっては、前記起動爪は前記ガイド斜面の仮想延長線よりも天板側に突出してなることを特徴とする。
【考案の効果】
【００１０】
本考案によれば、安全性が向上し、操作性にも優れた折畳み式テーブルを提供することができる。
【考案を実施するための最良の形態】
【００１１】
以下、本考案の一実施形態を図に従って説明する。図1は本考案の折畳み式テーブルの起立状態（使用状態）の表面側斜視図であり、図２は本考案の折畳み式テーブルの起立状態（使用状態）の裏面側斜視図である。図３は本考案の折畳み式テーブルの折畳み状態（収納状態）の裏面側斜視図である。図４は図2の部分拡大図である。
図5は折り畳み途中の折畳み式テーブルの裏面側斜視図であり、図6は図3の部分拡大図である。図7は本考案の折畳み式テーブルの起立状態（使用状態）の分解斜視図であり、図8は図7の部分拡大図である。図9は図2のＡ−Ａ‘断面図を示す図である。
【００１２】
（第一の実施形態）
図1から図3の斜視図に示すように、本実施形態の折畳み式テーブルは左右に長い矩形形状の天板と、天板の裏面に設けられ上部を回動中心として回動可能に設けた脚2と、天板の裏面に設けられ脚の移動を規制するロック部材3とからなる折畳み式のテーブルである。
【００１３】
天板1は左右方向に伸びる矩形形状で、その四隅にコーナー連結部材26を介して脚2が回動可能に軸支されている。コーナー連結部材は天板のコーナー部に沿って設けられており、厚みのあるL字型外壁と、外壁に連らなって内側に形成された平坦なベース部からなっている。（図4）
【００１４】
そして脚を折り畳んで収容した場合に、折り畳まれた脚の高さがL字型外壁の高さ以内になるように設定してある。
【００１５】
また、コーナー連結部材には天板の短手方向に平行な金属製のコーナー水平軸261が設けらており、そのコーナー水平軸261に脚の上部が軸支され、脚を起立状態（使用状態）と折畳み状態（収納状態）とに移動可能としている。
【００１６】
さらに、コーナー連結部材には複数の固定用穴が設けられており、固定用穴にネジを挿入して天板やフレームにネジ留めするように形成されている。
天板はメラミン化粧板などを用いることができ、コーナー水平軸の代わりに蝶番ヒンジで脚の回動を行なうこともできる。
【００１７】
加えて、コーナー連結部材には内側に脚ロック部材262を設けておくことで、脚収納時における脚の不用意な開放を防止できる。脚ロック部材は樹脂製のコーナー連結部材の一部を切り欠き、内側に移動可能な上側庇を有する舌片状のロック爪を設けることで実現できる。
【００１８】
支脚21は外形が略楕円形、円形又は矩形形状の上下に長い補強桟が入った中空支柱である。脚の上部にはコーナー水平軸に貫通できるように、円形の孔が設けられており、コーナー水平軸の軸ピンが挿通され、コーナー連結部に固定されている。
【００１９】
脚の下端には樹脂製の脚キャップやアジャスターなどを設けることができる。天板の短手方向に並列する2本の脚は中間で脚桟25によって連結されている。それによって、強度を高めるとともに脚を一体化することができ、脚の折畳みや展開時の操作性をも向上させている。脚の材質は金属、木又はプラスチックなどから選ぶことが出来る。
【００２０】
脚桟25は脚の高さ方向（天板から）で上から5ｃｍ〜15ｃｍ程度の位置に設けることが望ましい。
【００２１】
脚桟も脚と同様に外形が略楕円形、円形又は矩形形状の補強桟が入った中空状となっている。金属の場合は溶接によって、木製の場合にはホゾ組み等によって、脚と脚桟を一体化することで脚2としての強度を向上させている。
【００２２】
また、図4から図9に示すように天板1の裏面には、脚の移動を規制するロック部材3が設けられている。ロック部材は大きく、ガイド溝を有するスライド受部30と直線状連結部材4と操作レバー35とからなっている。
【００２３】
スライド受部30は平面視コ字型となる対向する2つの側板321，322と二つの側板を結合する結合壁320及び結合壁と対向する位置に設けられた水平軸受け325と水平軸33とからなっている。
【００２４】
側板、結合壁は金属の薄板部材からなっており、天板に平行なネジ受け片を有している。そしてスライド受部は天板裏面やフレーム材にネジ受け片を介してネジで固着されている。
2つの側板32には左右対称にガイド溝31が形成されている。ガイド溝は天板と略平行に設けられた水平長穴311と水平長穴に連通し水平長穴から天板側に屈曲した係合穴312とからなっている。
【００２５】
なお、水平軸受けはスライド受部と一体となった例を示したが独立して天板裏面に設けることも可能である。
【００２６】
そして、ガイド溝の径（高さ）は後述するスライド軸42の径と略同程度で、スライド軸が自由に移動できる程度の余裕をもたせて設計することができる。また、係合穴の屈曲角度は水平方向から90度〜120度程度に設定することができる。
【００２７】
また、スライド受部30にはガイド溝内をスライドする直線状連結部材4が摺動可能に軸支されている。
【００２８】
直線状連結部材4は、2つの平行な直線状金属片からなる連結板43とその両端部を結合する2つの軸とからなっており、一方の軸は脚を軸支する回転軸41とし、他方の軸はガイド溝内をスライドするスライド軸42としてある。一方の回転軸は脚の脚桟25に軸支されており、他方のスライド軸は水平長穴311と係合穴312とを摺動しながら往復動作する。
【００２９】
加えて、スライド軸が係合穴に位置するときは、折畳み式テーブルの脚が展開した使用状態となるように設定してある。
【００３０】
なお、連結部材は直線状連結板4を用いて説明したが、連結部材は曲線状であったり、一部が屈曲した連結板であっても構わない。
【００３１】
そして、連結部材4は脚2とロック部材3とを接合しており、折畳み式テーブルの脚が展開した使用状態にあるときには操作レバー35でさらに挟着し保持される。
【００３２】
操作レバー35は断面が略コ字状の操作片で、操作面37と係合面381，382を略直角に設けてあり、係合面同士は略平行に対向している。
【００３３】
操作レバーは、天板の裏面に設けられた水平軸33に軸支され、前方が付勢バネによって天板方向へ常時付勢されている。
【００３４】
付勢バネは、一端が天板の裏面に、他端が操作レバー後側の内面37に接するように設けられたコイルバネであり、それによって操作レバーは水平軸を中心として操作レバーの前側が天板に近づく方向に、後側が天板から離れる方向に作用するように配置されている。
【００３５】
操作レバー35の係合面381，382には、それぞれ前方からスライド軸42が摺動するガイド斜面351とスライド軸が嵌合する係合凹部352と脚の起立状態時に操作レバーの回動によって係合凹部に嵌合したスライド軸を係合凹部から脱出させる起動爪353と解除操作を行なう操作片354とを備えている。
【００３６】
ガイド斜面351は操作面37の先端から鋭角に延びる斜面で脚を起立させる時にスライド軸42を摺動させて係合凹部352に導くように設けられている。
【００３７】
係合凹部352はスライド軸と略同一の大きさの穴で、水平軸を受け入れることが可能な程度の余裕を設けてある。
【００３８】
起動爪353はガイド斜面を係合凹部側に延長した仮想延長線よりも天板裏面側に突出した嘴状の突片で、操作片354を押圧し操作レバー前側を回動させた場合、係合凹部に位置するスライド軸に衝突する長さ寸法に設定してある。
【００３９】
操作レバーは強度の点から金属製であることが望ましいが、強化プラスチックなどの素材を選択することも可能である。
【００４０】
操作レバーとロック部材には図示しない、プラスチック製のカバーを被せて用いることができる。
【００４１】
なお、本実施の形態では支脚21の間に脚桟25を設けた脚2で説明したが、脚桟を省略し、直接脚に回転軸を設け連結部材4と結合する構造として実施することも可能である。
【００４２】
以上の構成からなる、折り畳み式テーブルの作用効果について以下に説明する。
【００４３】
まず折畳み状態（収納状態）にある折り畳み式テーブルを組み立てる場合には、上記の折り畳み式テーブルを天板の表面が床に接する状態で載置し、収納状態の脚又は脚桟を手で掴んで天板長手方向の外側に向けて回動させる。
【００４４】
その場合、脚桟に軸支された連結部材4が一方の回転軸で軸支されながら脚の移動に追従して、テーブルの長手方向外側に変位する。
【００４５】
連結部材の他方のスライド軸42は連結部材の変位に伴って、水平長穴から係合穴の方向へ操作レバーのガイド斜面351とガイド溝の水平長穴に挟まれながら摺動し、脚が組立状態となる位置に達したときにガイド溝の係合穴312に落ち込む。それと同時に操作レバーの係合凹部352とも嵌合する。
【００４６】
この起立状態では、スライド軸42は一方を係合穴に、他方を係合凹部に嵌合され両側から挟持される状態となるので、より強固に固定される。また、この状態では強固に挟持されているので、脚に外力が加えられたとしても、不用意に脚が移動したり、閉じたりすることはなく、強固に組み立てられている。
【００４７】
次に起立状態（使用状態）にある折り畳み式テーブルを折り畳む場合には操作片354を下方（天板側）へ押圧し、操作レバー35を水平軸を中心として回動させる。この時に係合凹部と係合穴の間で支持されていたスライド軸は挟持状態から開放されるとともに、操作レバーに設けられた起動爪が操作レバーの回動に伴って天板と反対方向に回動する。この回動動作に伴ってスライド軸は蹴り上げられスライド軸は係合穴から脱出し水平長穴まで誘導される。
【００４８】
その後、操作片の押圧を解除し脚を持って折り畳む。その時には水平軸はロックが外れ水平方向に移動が可能となっているので、ただ単に水平長穴に沿って摺動させるだけ（脚を持って折り畳むだけ）で簡単に折り畳みできる。そして脚を収納位置に移動させ（図5）、脚ロック部材で脚を固定する。
【００４９】
このように、本考案の折畳み式テーブルは天板側に屈曲した係合穴とスライド軸及び操作レバーの係合凹部と起動爪を備えているので、天板を表（図1参照）にしても、裏（図4参照）にしても強固にロックされ安全性を向上できる。加えて起動爪の機能によって、折り畳み時にも簡単に収納できる。また、ロック部材を解除してもすぐに脚が倒れ難く操作性に優れた折畳み式テーブルを提供することができる。
【図面の簡単な説明】
【００５０】
【図１】は本考案の折畳み式テーブルの起立状態（使用状態）の表面側斜視図である。
【図２】は本考案の折畳み式テーブルの起立状態（使用状態）の裏面側斜視図である。
【図３】は本考案の折畳み式テーブルの折畳み状態（収納状態）裏面側斜視図である。
【図４】は図2の部分拡大断面図である。
【図５】は折り畳み途中の折畳み式テーブルの裏面側斜視図である。
【図６】は図3の部分拡大図である。
【図７】は本考案の折畳み式テーブルの起立状態（使用状態）の分解斜視図である。
【図８】は図7の部分拡大図である。
【図９】は図2のＡ−Ａ‘断面図である。
【符号の説明】
【００５１】
天板                1
脚                  2
支脚                21
脚桟                25
コーナー連結部材    26
コーナー水平軸      261
脚ロック部材        262
ロック部材          3
スライド受部        30
ガイド溝            31
水平長穴            311
係合穴              312
側板                32
結合壁              320
側板                321,322
水平軸受け          325
水平軸              33
水平軸ピン          331
付勢バネ            34
操作レバー          35
ガイド斜面          351
係合凹部            352
起動爪              353
操作片              354
固定片              36
操作面              37
係合面              381,382
連結部材            4
回転軸              41
スライド軸          42
連結板              43
テーブル            5
【図１】
0003155260.tif 000003
【図２】
0003155260.tif 000004
【図３】
0003155260.tif 000005
【図４】
0003155260.tif 000006
【図５】
0003155260.tif 000007
【図６】
0003155260.tif 000008
【図７】
0003155260.tif 000009
【図８】
0003155260.tif 000010
【図９】
0003155260.tif 000011